(57)【要約】【課題】検出精度が低下してしまう可能性を低減することができる入力装置、表示装置、および電子機器を提供する。【解決手段】入力装置Ｘ１は、第２主面２Ｂを有した基体２と、基体２の第２主面２Ｂ上に設けられた第１遮光層３と、基体２の第２主面２Ｂ上に設けられており、一部５ｃが第１遮光層３上に位置する第１検出電極５ａと、第１遮光層３上に設けられており、第１検出電極５ａに接続された検出用配線８と、を備え、第１検出電極５ａの一部５ｃ、および、一部５ｃに対応する第１遮光層３のうち少なくとも一方には、開口部５ｄが設けられている。【選択図】図５
2014174738.tif 000002
【特許請求の範囲】
【請求項１】
主面を有した基体と、
前記基体の前記主面上に設けられた第１遮光層と、
前記基体の前記主面上に設けられており、一部が前記第１遮光層上に位置する検出電極と、
前記第１遮光層上に設けられており、前記検出電極に接続された検出用配線と、を備え、
前記検出電極の前記一部、および、該一部に対応する前記第１遮光層のうち少なくとも一方には、開口部が設けられている、入力装置。
【請求項２】
前記開口部の全部は、前記検出電極の前記一部に設けられている、請求項１に記載の入力装置。
【請求項３】
前記開口部は、前記検出電極の前記一部に設けられており、
前記検出用配線を被覆して前記第１遮光層上に設けられた保護層をさらに備え、
前記保護層は、前記開口部内にも位置している、請求項１または２に記載の入力装置。
【請求項４】
前記開口部は、前記検出電極の前記一部に対応する前記第１遮光層に設けられており、
前記検出電極の前記一部を被覆して前記第１遮光層上に設けられた保護層と、
該保護層上に設けられた第２遮光層と、をさらに備え、
前記第２遮光層は、平面視して前記開口部と重なっている、請求項１または２に記載の入力装置。
【請求項５】
前記開口部は、平面視して前記第１遮光層の外縁に沿うように複数設けられている、請求項４に記載の入力装置。
【請求項６】
前記開口部は、前記検出電極の前記一部に設けられており、
平面視して前記第１遮光層が位置しない領域に対応して前記基体の前記主面上に設けられており、前記検出電極に接続された接続配線をさらに備え、
平面視して、前記開口部の外縁と前記検出電極の前記一部の外縁との離間距離は、前記接続配線の幅よりも大きい、請求項１〜３のいずれか一項に記載の入力装置。
【請求項７】
前記開口部は、前記検出電極の前記一部、および、該一部に対応する前記第１遮光層のそれぞれに設けられており、
前記検出電極の前記第１部位に設けられた前記開口部と、前記一部の下方に位置する前記第１遮光層に設けられた前記開口部とは、平面視して重ならない、請求項１〜６のいずれか一項に記載の入力装置。
【請求項８】
前記検出電極は、透明導電材料からなり、
前記検出用配線は、前記検出電極よりも遮光性が大きい金属材料からなる、請求項１〜７のいずれか一項に記載の入力装置。
【請求項９】
前記第１遮光層は、着色材料を有しており、
該着色材料は、カーボン、チタン、またはクロムを含んでいる、請求項１〜８のいずれか一項に記載の入力装置。
【請求項１０】
主面を有した基体と、
前記基体の前記主面上に設けられた第１遮光層と、
前記基体の前記主面上に設けられており、一部が前記第１遮光層上に位置する第１検出
電極と、
前記基体の前記主面上に設けられており、一部が前記第１遮光層上に位置しており、前記第１検出電極と互いに隣り合っている第２検出電極と、
前記第１遮光層上に設けられており、前記第１検出電極および前記第２検出電極に接続された複数の検出用配線と、を備え、
前記第１遮光層には、平面視して前記第１検出電極の前記一部と前記第２検出電極の前記一部との間において開口部が設けられている、入力装置。
【請求項１１】
請求項１〜１０のいずれか一項に記載の入力装置と、
前記入力装置に対向して配置された表示パネルと、
前記表示パネルを収容した筺体と、を備えた表示装置。
【請求項１２】
請求項１１に記載の表示装置を備えた電子機器。
【発明の詳細な説明】
【技術分野】
【０００１】
本発明は、入力装置、表示装置、および電子機器に関する。
【背景技術】
【０００２】
従来から、指と検出電極との間における静電容量の変化を捉えて入力位置を検出する入力装置が知られている。このような入力装置は、基体上に検出電極および遮光層が設けられている。また、遮光層上には、検出用配線が設けられている（例えば、特許文献１参照）。検出電極の一部は、遮光層上に位置しており、当該遮光層上において検出用配線に接続されている。
【先行技術文献】
【特許文献】
【０００３】
【特許文献１】特開２０１１−９０４４３号公報
【発明の概要】
【発明が解決しようとする課題】
【０００４】
ところで、上記の入力装置では、平面視して検出電極の一部と遮光層とが重なって位置している。ここで、遮光層は、例えば、着色材料を有している。当該着色材料は、例えば、導電性を有する材料を含んでいる。このため、遮光層の影響によって、検出電極の一部においてインピーダンスが生じ、検出精度が低下してしまう可能性があった。
【０００５】
本発明は、このような事情を鑑みてなされたものであり、その目的は、検出精度が低下してしまう可能性を低減することができる入力装置、表示装置、および電子機器に関する。
【課題を解決するための手段】
【０００６】
本発明の入力装置における一態様は、主面を有した基体と、前記基体の前記主面上に設けられた第１遮光層と、前記基体の前記主面上に設けられており、一部が前記第１遮光層上に位置する検出電極と、前記第１遮光層上に設けられており、前記検出電極に接続された検出用配線と、を備え、前記検出電極の前記一部、および、該一部に対応する前記第１遮光層のうち少なくとも一方には、開口部が設けられている。
【０００７】
本発明の入力装置における一態様は、主面を有した基体と、前記基体の前記主面上に設けられた第１遮光層と、前記基体の前記主面上に設けられており、一部が前記第１遮光層上に位置する第１検出電極と、前記基体の前記主面上に設けられており、一部が前記第１遮光層上に位置しており、前記第１検出電極と互いに隣り合っている第２検出電極と、前記第１遮光層上に設けられており、前記第１検出電極および前記第２検出電極に接続された複数の検出用配線と、を備え、前記第１遮光層には、平面視して前記第１検出電極の前記一部と前記第２検出電極の前記一部との間において開口部が設けられている。
【０００８】
本発明の表示装置における一態様は、本発明に係る入力装置と、前記入力装置に対向して配置された表示パネルと、該表示パネルが収容された筺体と、を備える。
【０００９】
本発明の電子機器における一態様は、本発明に係る表示装置を備える。
【発明の効果】
【００１０】
本発明の入力装置、表示装置、および電子機器は、検出精度が低下してしまう可能性を
低減することができる、という効果を奏する。
【図面の簡単な説明】
【００１１】
【図１】本実施形態に係る入力装置の概略構成を示す平面図である。
【図２】図１中に示したＩ−Ｉ線断面図である。
【図３】図１中に示したＩＩ−ＩＩ線断面図である。
【図４】図１中に示したＩＩＩ−ＩＩＩ線断面図である。
【図５】図１中に示した１点鎖線で囲んだ領域Ａ１を拡大した平面図である。
【図６】本実施形態に係る入力装置の他の例を示した図であって、図５と同じ部分を示した図である。
【図７】本実施形態に係る表示装置の概略構成を示す断面図である。
【図８】本実施形態に係る携帯端末の概略構成を示す斜視図である。
【図９】変形例１に係る入力装置の概略構成を示す平面図である。
【図１０】図９中に示したＩＶ−ＩＶ線断面図である。
【図１１】図９中に示した１点鎖線で囲んだ領域Ａ２を拡大した平面図である。
【図１２】変形例２に係る入力装置の概略構成を示す平面図である。
【図１３】図１２中に示したＶ−Ｖ線断面図である。
【図１４】図１２中に示した１点鎖線で囲んだ領域Ａ３を拡大した平面図である。
【図１５】変形例３に係る入力装置の概略構成を示す平面図である。
【図１６】図１５中に示したＶＩ−ＶＩ線断面図である。
【図１７】図１５中に示した１点鎖線で囲んだ領域Ａ４を拡大した平面図である。
【図１８】変形例４に係る入力装置の概略構成を示す平面図である。
【図１９】図１８中に示したＶＩＩ−ＶＩＩ線断面図である。
【図２０】図１８中に示した１点鎖線で囲んだ領域Ａ５を拡大した平面図である。
【図２１】変形例５に係る入力装置の概略構成を示す平面図である。
【図２２】図２１中に示したＶＩＩＩ−ＶＩＩＩ線断面図である。
【図２３】図２１中に示した１点鎖線で囲んだ領域Ａ６を拡大した平面図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る入力装置、表示装置、および電子機器は、本明細書が参照する各図に示されていない任意の構成部材を備え得る。
【００１４】
図１に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。本実施形態では、非入力領域Ｅ２は、平面視して第１遮光層３が位置する全領域を指す。また、本実施形態では、非入力領域Ｅ２は、入力領域Ｅ１を取り囲むように当該入力領域Ｅ１の外側に位置しているが、これに限らず、入力領域Ｅ１内に位置していてもよい。
【００１５】
なお、本実施形態に係る入力装置Ｘ１は、カバーガラス一体型の静電用様式のタッチパネルであるが、これに限らず、積層型、オン・セル型、あるいはイン・セル型の静電容量方式のタッチパネルであってもよい。
【００１６】
図１〜図５に示すように、入力装置Ｘ１は、基体２、第１遮光層３、第１保護層４、第１検出電極パターン５、第２検出電極パターン６、絶縁体７、検出用配線８、第２保護層
９、および保護シート１０を備える。なお、図１では、説明の便宜上、絶縁体７の図示は省略する。また、図５では、説明の便宜上、第１遮光層３、第１検出電極パターン５、および第２検出電極パターン６のみを図示する。
【００１７】
基体２は、上記の各部材を支持する役割を有する。基体２は、第１主面２Ａ、第２主面２Ｂ、および端面２Ｃを有する。第１主面２Ａは、第２主面２Ｂよりも使用者側に位置している。第２主面２Ｂは、第１主面２Ａの反対側に位置している。端面２Ｃは、第１主面２Ａと第２主面２Ｂとの間に位置している。なお、本実施形態では、基体２は、平面視して、略矩形状である。このため、端面２Ｃは、平面視における基体２の４つの辺に対応して、４つ位置している。なお、基体２は、例えば、平面視して楕円形状あるいは多角形状であってもよく、その形状については任意である。
【００１８】
基体２は、絶縁性を有する。また、基体２は、基体２の第１主面２Ａおよび第２主面２Ｂに交差する方向に入射する光に対して透光性を有する。ここで、本明細書において「透光性」とは、可視光の一部または全部を透過する性質を意味する。本実施形態では、基体２の構成材料は、ガラスである。ガラスとしては、強度向上のため、イオン交換によって化学強化されたガラスを用いることが好ましい。なお、基体２を化学強化した場合、化学強化した層も基体２に含まれると解することができる。また、基体２の構成材料は、ガラスに限らず、例えば、プラスチック等であってもよい。
【００１９】
第１遮光層３は、非入力領域Ｅ２を遮光する役割を有する。このため、第１遮光層３は、遮光性を有する。なお、本明細書において「遮光性」とは、入射した光の一部または全部を遮蔽する性質を指す。第１遮光層３は、非入力領域Ｅ２に対応する基体２の第２主面２Ｂ上に設けられている。具体的には、第１遮光層３は、平面視して入力領域Ｅ１を取り囲んで位置している。第１遮光層３の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、第１遮光層３は、黒色以外の色相を有していてもよい。第１遮光層３の形成方法としては、例えば、スクリーン印刷法、スパッタリング法、ＣＶＤ（Chemical Vapor Deposition）法、あるいは蒸着法が挙げられる。
【００２０】
第１保護層４は、第１遮光層３を保護する役割を有する。ここで、第１遮光層３を保護する役割としては、例えば、第１遮光層３を水分の吸湿による腐食から保護する役割、あるいは、第１遮光層３の材質が変質してしまう可能性を低減する役割が挙げられる。第１保護層４は、非入力領域Ｅ２に対応する基体２の第２主面２Ｂ上に設けられており、第１遮光層３を被覆している。第１保護層４の構成材料としては、例えば、透明樹脂材料が挙げられる。透明樹脂材料としては、例えば、アクリル系樹脂、シリコーン系樹脂、ゴム系樹脂、あるいはウレタン系樹脂が挙げられる。第１保護層４の形成方法としては、例えば、転写印刷法、スピンコート法、あるいはスリットコート法が挙げられる。
【００２１】
第１検出電極パターン５は、入力領域Ｅ１に対応する基体２の第１主面２Ａに接近した使用者の指Ｆ１との間において静電容量を発生し、平面視して基体２の長辺方向（図１にてＹ方向）における入力位置を検出する役割を有する。第１検出電極パターン５は、入力領域Ｅ１に対応する基体２の第２主面２Ｂ上に、Ｙ方向に並んで複数設けられている。第１検出電極パターン５は、複数の第１検出電極５ａおよび複数の第１接続配線５ｂを有する。
【００２２】
第１検出電極５ａは、使用者の指Ｆ１との間において静電容量を発生する役割を有する。第１検出電極５ａは、平面視して基体２の短辺方向（図１にてＸ方向）に並んで複数設けられている。本実施形態では、第１検出電極５ａは、平面視して略菱形状である。第１
接続配線５ｂは、第１検出電極５ａ同士を電気的に接続する役割を有する。第１接続配線５ｂは、第１検出電極パターン５のうち、互いに隣り合う第１検出電極５ａの間に設けられている。
【００２３】
ここで、第１検出電極パターン５に含まれる複数の第１検出電極５ａのうち、一端側（図１にて紙面左側）に位置する第１検出電極５ａは、第１遮光層３上に位置する一部５ｃを有する。具体的には、一端側に位置する第１検出電極５ａは、入力領域Ｅ１から非入力領域Ｅ２に亘って設けられており、第１保護層４上に位置している。すなわち、第１検出電極５ａの一部５ｃは、平面視して第１遮光層３と重なっている。なお、本実施形態では、第１検出電極パターン５に含まれる複数の第１検出電極５ａのうち、一端側に位置する第１検出電極５ａのみが入力領域Ｅ１から非入力領域Ｅ２に亘って位置しているが、これに限らない。第１検出電極パターン５に含まれる複数の第１検出電極５ａのうち、他端側（図１にて紙面右側）に位置する第１検出電極５ａが、入力領域Ｅ１から非入力領域Ｅ２に亘って設けられており、平面視して一部が第１遮光層３と重なっていてもよい。
【００２４】
第１検出電極５ａの一部５ｃには、開口部５ｄが設けられている。なお、本実施形態では、開口部５ｄは、平面視して一部５ｃの外縁に沿うように略三角形状に設けられているが、これに限らない。開口部５ｄの配置位置、平面視形状、および個数については、本発明の効果を奏する範囲において、適宜変更することができる。なお、開口部５ｄが設けられる理由については、後述する。
【００２５】
第２検出電極パターン６は、入力領域Ｅ１に対応する基体２の第１主面２Ａに接近した使用者の指Ｆ１との間において静電容量を発生し、Ｘ方向における入力位置を検出する役割を有する。第２検出電極パターン６は、入力領域Ｅ１に対応する基体２の第２主面２Ｂ上に、Ｘ方向に並んで複数設けられている。第２検出電極パターン６は、第２検出電極６ａおよび第２接続配線６ｂを有する。
【００２６】
第２検出電極６ａは、使用者の指Ｆ１との間において静電容量を発生する役割を有する。第２検出電極６ａは、Ｙ方向に並んで複数設けられている。本実施形態では、第２検出電極６ａは、平面視して略菱形状である。第２接続配線６ｂは、第２検出電極６ａ同士を電気的に接続する役割を有する。第２接続配線６ｂは、互いに隣り合う第２検出電極６ａの間において、第１接続配線５ｂと電気的に絶縁するように、絶縁体７を跨いで当該絶縁体７上に設けられている。ここで、絶縁体７は、第１接続配線５ｂを覆うように基体２の第２主面２Ｂ上に設けられている。絶縁体７の構成材料としては、例えば、アクリル樹脂、エポキシ樹脂、シリコーン樹脂、二酸化ケイ素、あるいは窒化珪素等の透明樹脂が挙げられる。
【００２７】
なお、本実施形態では、第２検出電極パターン６に含まれる複数の第２検出電極６ａは、全て入力領域Ｅ１対応する基体２の第２主面２Ｂ上に位置しているが、これに限らない。第２検出電極パターン６に含まれる第２検出電極６ａのうち、例えば、一端（図１にて紙面下側）または他端側（図１にて紙面上側）に位置する第２検出電極６ａは、一部が非入力領域Ｅ２に対応する第１遮光層３上に位置していてもよい。このような場合、当該一部には、第１検出電極５ａの一部と同様に、開口部が設けられていることが好ましい。
【００２８】
第１検出電極パターン５および第２検出電極パターン６の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＺＯ（Al-Doped Zinc Oxide）、酸化錫、酸化亜鉛、あるいは導電性高分子が挙げられる。
【００２９】
第１検出電極パターン５および第２検出電極パターン６の形成方法としては、例えば、
上述の材料をスパッタリング法、蒸着法、あるいはＣＶＤ（Chemical Vapor Deposition
）法によって基体２の第２主面２Ｂ上に成膜する。そして、この膜の表面に感光性樹脂を塗布し、露光、現像、エッチング工程を経て、膜がパターニングされることで、第１検出電極パターン５および第２検出電極パターン６が形成される。
【００３０】
検出用配線８は、第１検出電極パターン５および第２検出電極パターン６と指Ｆ１との間において発生した静電容量の変化を検出する役割を有する。検出用配線８は、第１保護層４上に複数設けられている。また、検出用配線８は、平面視して第１遮光層３と重なっている。このため、検出用配線８が使用者に視認される可能性を低減することができる。複数の検出用配線８は、一方の群と他方の群とに分けられる。一方の群に含まれる検出用配線８は、一端が第１検出電極パターン５に接続され、他端が外部導通領域Ｇ１に位置している。また、他方の群に含まれる検出用配線８は、一端が第２検出電極パターン６に電気的に接続され、他端が外部導通領域Ｇ１に位置している。検出用配線８は、外部導通領域Ｇ１において、図示しないフレキシブルプリント配線基板等を介して、図示しない位置検出ドライバと電気的に接続されることになる。
【００３１】
検出用配線８は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜の形成方法としては、例えば、スパッタリング法、ＣＶＤ法、あるいは蒸着法が挙げられる。
【００３２】
このように、入力装置Ｘ１では、第１検出電極５ａの一部５ｃは、第１遮光層３上に位置しており、当該第１遮光層３上において、検出用配線８に接続されている。また、第１検出電極５ａの一部５ｃには、開口部５ｄが設けられている。このため、検出精度が低下してしまう可能性を低減することができる。
【００３３】
具体的には、第１検出電極の一部は、例えば、検出用配線との接続面積を相対的に大きくするため、あるいは、基体の第２主面２Ｂと第１遮光層との間に生じる段差によって第１検出電極パターンが断線する可能性を低減するために、第１遮光層上に位置している。第１遮光層は、非入力領域を遮光する目的で、着色材料を含んでいる。ここで、当該着色材料は、僅かであっても導電性を有する可能性がある。第１遮光層が導電性を有すると、当該第１遮光層の影響によって、第１検出電極の一部にインピーダンスが生じる可能性があった。ここで、入力装置では、例えば、第１検出電極パターンに所定の電圧を印加した際の電流値を計測することによって、使用者における入力操作位置を検出する。第１検出電極の一部にインピーダンスが生じると、当該電流値を正確に計測することができず、検出精度が低下してしまう可能性があった。
【００３４】
そこで、入力装置Ｘ１では、第１検出電極５ａの一部５ｃには、開口部５ｄが設けられている。このため、平面視して第１検出電極５ａの一部５ｃと第１遮光層３とが重なる領域の面積を相対的に小さくすることができる。そのため、第１検出電極５ａの一部５ｃにインピーダンスが生じる可能性を低減することができる。
【００３５】
なお、本実施形態のように、開口部５ｄの全部は、第１検出電極５ａの一部５ｃに位置していることが好ましい。具体的には、開口部５ｄの全部は、平面視して第１検出電極５ａの一部５ｃと第１遮光層３とが重なる領域内に位置していることが好ましい。開口部５ｄの全部が第１検出電極５ａの一部５ｃに位置していると、入力領域Ｅ１と非入力領域Ｅ２との境界に開口部５ｄが位置しないことになる。このため、当該境界上に位置する第１検出電極５ａの平面視幅を相対的に大きくすることができる。そのため、基体２の第２主面２Ｂと第１遮光層３との間に生じる段差によって、第１検出電極パターン５に断線が生
じる可能性を低減することができる。
【００３６】
また、本実施形態のように、平面視して、開口部５ｄの外縁と第１検出電極５ａの一部５ｃの外縁との離間距離Ｄ１は、第１接続配線５ｂの幅Ｄ２よりも大きいことが好ましい。離間距離Ｄ１が幅Ｄ２よりも大きいと、第１検出電極５ａの一部５ｃにおいて、部分的に抵抗値が大きくなってしまう可能性を低減することができる。このため、例えば、第１検出電極パターン５に接続される検出用配線８に静電気が混入した場合に、第１検出電極５ａの一部５ｃにおいて焼損が生じる可能性を低減することができる。なお、「離間距離Ｄ１」とは、例えば、平面視における開口部５ｄの外縁と第１検出電極５ａの一部５ｃの外縁との最短距離とすることができる。また、「幅Ｄ２」とは、例えば、平面視における第１接続配線５ｂの最短幅とすることができる。
【００３７】
また、本実施形態では、検出用配線８は、第１検出電極５ａの一部５ｃと接続されている。具体的には、第１検出電極５ａは、平面視して略矩形状であるため、４つの角部を有する。検出用配線８は、第１検出電極５ａの一部５ｃに含まれる角部と接続されている。ここで、図６に示すように、第１検出電極５ａの一部５ｃを平面視して略矩形状に形成してもよい。このような場合、検出用配線８は、平面視して第１検出電極５ａの一部５ｃの一辺と接続することがきる。このため、平面視における第１検出電極５ａの一部５ｃと検出用配線８との接続幅を相対的に大きくすることができる。そのため、第１検出電極５ａの一部５ｃと検出用配線８との間において断線が生ずる可能性を低減することができる。
【００３８】
第２保護層９は、検出用配線８を保護する役割を有する。検出用配線８を保護する役割としては、例えば、水分の吸湿による腐食から保護する役割、あるいは、静電気の混入による誤動作を防止する役割が挙げられる。第２保護層９は、非入力領域Ｅ２に対応する基体２の第２主面２Ｂ上に設けられている。具体的には、第２保護層９は、第１保護層４上に位置しており、検出用配線８を被覆している。また、第２保護層９は、第１検出電極５ａの一部５ｃを被覆している。なお、第２保護層９は、外部導通領域Ｇ１には設けられていない。第２保護層９の構成材料および形成方法としては、第１保護層４と同様のものが挙げられる。
【００３９】
なお、本実施形態のように、第２保護層９は、開口部５ｄ内にも位置していることが好ましい。具体的には、第２保護層９は、部分的に開口部５ｄに埋入していることが好ましい。第２保護層９が開口部５ｄ内にも位置していると、アンカー効果によって、第２保護層９が第１保護層４上から剥がれてしまう可能性を低減することができる。
【００４０】
保護シート１０は、使用者の指Ｆ１の接触によって基体２の第１主面２Ａを傷付けないように保護する役割を有する。保護シート１０は、図示しない粘着材を介して、入力領域Ｅ１および非入力領域Ｅ２に対応する基体２の第１主面２Ａ上の全面に亘って設けられている。なお、保護シート１０は、基体２の第１主面２Ａ上の全面に亘って設けられていなくともよい。すなわち、保護シート１０は、入力領域Ｅ１に対応する基体２の第１主面２Ａ上にのみ設けられていてもよいし、なくともよい。保護シート１０の構成材料としては、例えば、ガラスあるいはプラスチックが挙げられる。
【００４１】
次に、入力装置Ｘ１の検出原理について説明する。
【００４２】
位置検出ドライバは、フレキシブルプリント配線基板等を介して、検出用配線８に電気的に接続されている。また、位置検出ドライバは、電源装置を備えている。なお、電源装置は、位置検出ドライバと別体であってもよい。電源装置は、検出用配線８を介して、第１検出電極パターン５および第２検出電極パターン６に電圧を供給している。位置検出ドライバは、電源装置が供給する電圧に応じた電流値を常に検出している。ここで、入力領
域Ｅ１に対応する基体２の第１主面２Ａに、保護シート１０を介して導電体である指Ｆ１が近接、接触、または押圧すると、指Ｆ１と第１検出電極パターン５および第２検出電極パターン６との間において静電容量が発生する。第１検出電極パターン５および第２検出電極パターン６において静電容量が発生すると、位置検出ドライバが検出する電流値が変化する。入力装置Ｘ１は、位置検出ドライバが検出する電流値が所定値に達した第１検出電極パターン５および第２検出電極パターン６の組合せによって、使用者が入力操作を行った入力位置を検出する。このようにして、入力装置Ｘ１は、入力位置を検出することができる。
【００４３】
以上のように、入力装置Ｘ１では、検出精度が低下してしまう可能性を低減することができる。
【００４４】
次に、図７を参照しながら、入力装置Ｘ１を備えた表示装置Ｙ１について説明する。
【００４５】
図７に示すように、本実施形態に係る表示装置Ｙ１は、入力装置Ｘ１、第１筐体１００、表示パネル２００、バックライト３００、および回路基板４００を備えている。
【００４６】
第１筺体１００は、入力装置Ｘ１を支持する役割、並びに、表示パネル２００、バックライト３００、および回路基板４００を収容する役割を有する。第１筺体１００は、第１支持部１０１を有する。第１支持部１０１は、入力装置Ｘ１を基体２の第２主面２Ｂ側から支持する役割を有する。
【００４７】
第１筐体１００の構成材料としては、例えば、ポリカーボネート等の樹脂、あるいは、ステンレス、アルミニウム等の金属が挙げられる。
【００４８】
表示パネル２００は、画像を表示する役割を有する。表示パネル２００は、上側基板２０１、下側基板２０２、液晶層２０３、および封止部材２０４を有する。
【００４９】
上側基板２０１は、入力装置Ｘ１の基体２の第２主面２Ｂに対向して、配置されている。なお、入力装置Ｘ１は、固定部材を介して上側基板２０１上に設けられていてもよい。固定部材としては、例えば、両面テープ、熱硬化性樹脂、紫外線硬化性樹脂、あるいはねじ等の止め具が挙げられる。下側基板２０２は、上側基板２０１に対向して配置されている。上側基板２０１および下側基板２０２の構成材料としては、例えば、ガラスあるいはプラスチック等の透明樹脂材料が挙げられる。
【００５０】
液晶層２０３は、画像を表示するための表示部材層であり、上側基板２０１と下側基板２０２との間に介在している。具体的には、液晶層２０３は、上側基板２０１、下側基板２０２、および封止部材２０４によって、上側基板２０１と下側基板２０２との間の領域に封止されている。なお、本実施形態に係る表示パネル２００では、表示部材層として液晶層２０３を備えているが、これに限らない。液晶層２０３に変えて、プラズマ発生層あるいは有機ＥＬ層等を備えていてもよい。
【００５１】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプあるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代
わりに自発光素子を用いた表示パネルを用いる場合は、バックライト３００はなくともよい。
【００５２】
回路基板４００は、例えば、入力装置Ｘ１の位置検出ドライバ、表示パネル２００およびバックライト３００を制御する制御回路、抵抗器、あるいはコンデンサ等の電子部品を支持する役割を有する。回路基板４００は、バックライト３００の後方に配置されている。回路基板４００上に配置された制御回路は、図示しないフレキシブルプリント配線基板によって、表示パネル２００およびバックライト３００と電気的に接続されている。
【００５３】
このように、表示装置Ｙ１は、入力装置Ｘ１を介して表示パネル２００を透視しながら、入力装置Ｘ１の入力領域Ｅ１を入力操作することによって、各種の情報を入力することができる。
【００５４】
また、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５５】
以上のように、表示装置Ｙ１では、入力装置Ｘ１を備えているため、検出精度が低下してしまう可能性を低減することができる。
【００５６】
次に、図８を参照しながら、表示装置Ｙ１を備えた携帯端末Ｚ１について説明する。図８は、表示装置Ｙ１を備えた携帯端末Ｚ１の斜視図である。
【００５７】
図８に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００５８】
携帯端末Ｚ１は、表示装置Ｙ１、音声入力部５０１、音声出力部５０２、キー入力部５０３、および第２筐体５０４を備えている。
【００５９】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。第２筐体５０４の構成材料としては、第１筐体１００と同様のものが挙げられる。なお、第２筐体５０４と表示装置Ｙ１の第１筐体１００とは、一体であってもよい。
【００６０】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００６１】
以上のように、携帯端末Ｚ１は、表示装置Ｙ１を備えているため、検出精度が低下してしまう可能性を低減することができる。
【００６２】
ここで、表示装置Ｙ１は、上記の携帯端末Ｚ１の代わりに、電子手帳、パーソナルコン
ピュータ、複写機、ゲーム用の端末装置、テレビ、デジタルカメラ、あるいは産業用途で使用されるプログラマブル表示器等の様々な電子機器に備えられていてもよい。
【００６３】
なお、上述した実施形態は、本発明の実施形態の一具体例を示したものであり、種々の変形が可能である。以下、いくつかの主な変形例を示す。
【００６４】
［変形例１］
図９は、変形例１に係る入力装置Ｘ２の概略構成を示す平面図である。図１０は、図９中に示したＩＶ−ＩＶ線断面図である。図１１は、図９中に示した１点鎖線で囲んだ領域Ａ２を拡大した図である。なお、図９〜１１において、図１、図４、および図５と同様の機能を有する構成については、同じ参照符号を付記し、その詳細な説明は省略する。
【００６５】
図９〜１１に示すように、入力装置Ｘ２では、入力装置Ｘ１が備える第１検出電極パターン５および第１遮光層３の代わりに、第１検出電極パターン２１および第１遮光層２２を備えている。
【００６６】
第１検出電極パターン２１は、第１検出電極パターン５と同様の機能を有する。第１検出電極パターン２１は、入力領域Ｅ１に対応する基体２の第２主面２Ｂ上に、Ｙ方向に並んで複数設けられている。第１検出電極パターン２１は、複数の第１検出電極２１ａおよび複数の第１接続配線２１ｂを有する。
【００６７】
第１検出電極２１ａは、平面視してＸ方向に並んで複数設けられている。変形例１では、第１検出電極２１ａは、平面視して略菱形状である。第１接続配線２１ｂは、第１検出電極２１ａ同士を電気的に接続する役割を有する。第１接続配線２１ｂは、第１検出電極パターン２１のうち、互いに隣り合う第１検出電極２１ａの間に設けられている。
【００６８】
第１検出電極パターン２１に含まれる複数の第１検出電極２１ａのうち、一端側（図９にて紙面左側）に位置する第１検出電極２１ａは、第１遮光層２２上に位置する一部２１ｃを有する。具体的には、一端側に位置する第１検出電極２１ａは、入力領域Ｅ１から非入力領域Ｅ２に亘って設けられており、第１保護層４上に位置している。すなわち、第１検出電極２１ａの一部２１ｃは、平面視して第１遮光層２２と重なっている。
【００６９】
第１遮光層２２は、第１遮光層３と同様の機能を有する。第１遮光層２２は、非入力領域Ｅ２に対応する基体２の第２主面２Ｂ上に設けられている。具体的には、第１遮光層２２は、平面視して入力領域Ｅ１を取り囲んで位置している。
【００７０】
ここで、第１遮光層２２のうち第１検出電極２１ａの一部２１ｃに対応する部位には、開口部２２ａが設けられている。具体的には、開口部２２ａは、平面視して第１検出電極２１ａの一部２１ｃと重なる第１遮光層２２に設けられている。このため、第１検出電極２１ａの一部２１ｃに開口部が設けられていない場合であっても、第１検出電極２１ａの一部２１ｃにインピーダンスが生じる可能性を低減することができる。なお、変形例１では、開口部２２ａは、平面視して一部２１ｃの外縁に沿うように略三角形状に設けられているが、これに限らない。開口部２２ａの配置位置、平面視形状、および個数については、本発明の趣旨を逸脱しない範囲において、適宜変更することができる。
【００７１】
なお、本実施形態のように、第１保護層４は、開口部２２ａ内にも位置していることが好ましい。具体的には、第１保護層４は、部分的に開口部２２ａに埋入していることが好ましい。第１保護層４が開口部２２ａ内にも位置していると、アンカー効果によって、第１保護層４が基体２の第２主面２Ｂ上から剥がれてしまう可能性を低減することができる。
【００７２】
［変形例２］
図１２は、変形例２に係る入力装置Ｘ３の概略構成を示す平面図である。図１３は、図１２中に示したＶ−Ｖ線断面図である。図１４は、図１２中に示した１点鎖線で囲んだ領域Ａ３を拡大した平面図である。なお、図１２〜１４において、図９〜図１１と同様の機能を有する構成については、同じ参照符号を付記し、その詳細な説明は省略する。
【００７３】
図１２〜１４に示すように、入力装置Ｘ３は、入力装置Ｘ２に加えて、第２遮光層３１をさらに備えている。
【００７４】
第２遮光層３１は、非入力領域Ｅ２に対応する第２保護層９上に設けられている。変形例２では、第２遮光層３１は、平面視して第１遮光層３と略同一形状である。第２遮光層３１は、平面視して検出用配線８と重なって位置している。このため、入力装置Ｘ１に代えて入力装置Ｘ３を表示装置Ｙ１に組み込んだ場合に、バックライト３００から検出用配線８に対して入射した光の光量が相対的に大きくなったとしても、検出用配線８が使用者に視認されてしまう可能性を低減することができる。
【００７５】
ここで、第２遮光層３１は、平面視して開口部２２ａと重なって位置している。このため、入力装置Ｘ１に代えて入力装置Ｘ３を表示装置Ｙ１に組み込んだ場合に、開口部２２ａを介して表示装置Ｙ１の内部が視認されてしまう可能性を低減することができる。
【００７６】
なお、第２遮光層３１は、基体２の第１主面２Ａ上に位置していてもよい。
【００７７】
［変形例３］
図１５は、変形例３に係る入力装置Ｘ４の概略構成を示す平面図である。図１６は、図１５中に示したＶＩ−ＶＩ線断面図である。図１７は、図１５中に示した１点鎖線で囲んだ領域Ａ４を拡大した平面図である。なお、図１５〜１７において、図１２〜図１４と同様の機能を有する構成については、同じ参照符号を付記し、その詳細な説明は省略する。
【００７８】
図１５〜１７に示すように、入力装置Ｘ４は、入力装置Ｘ３において、第１遮光層２２の代わりに第１遮光層４１を備えている。
【００７９】
第１遮光層４１は、第１遮光層２２と同様の機能を有する。第１遮光層４１は、非入力領域Ｅ２に対応する基体２の第２主面２Ｂ上に設けられている。具体的には、第１遮光層４１は、平面視して入力領域Ｅ１を取り囲んで位置している。
【００８０】
ここで、第１遮光層４１のうち第１検出電極２１ａの一部２１ｃに対応する部位には、開口部４１ａが設けられている。具体的には、開口部４１ａは、平面視して第１検出電極２１ａの一部２１ｃと重なる第１遮光層４１に設けられている。開口部４１ａは、平面視して第１遮光層４１の外縁に沿うように複数設けられている。また、複数の開口部４１ａは、平面視して第２遮光層３１と重なって位置している。このため、第１遮光層４１のうち第１検出電極２１ａの一部２１ｃと重なる部位は、第１遮光層４１の外縁から遠ざかるにつれて色味が変化するグラデーションパターンとして機能する。そのため、平面視して、第１遮光層４１と開口部４１ａから視認される第２遮光層３１との境界が際立つことによって意匠性が低下してしまう可能性を低減することができる。
【００８１】
なお、変形例３では、複数の開口部４１ａは、平面視して略円形状であるが、これに限らず、略楕円形状あるいは略多角形状等であってもよい。また、変形例３では、複数の開口部４１ａは、平面視して略一列状に並んでいるが、これに限らず、略蛇行状であってもよいし、ランダムに配置されていてもよい。すなわち、複数の開口部４１ａが平面視して
第１遮光層４１の外縁に沿って配置されることによって、第１遮光層４１のうち第１検出電極２１ａの一部２１ｃと重なる部位がグラデーションパターンとして機能していればよい。
【００８２】
［変形例４］
図１８は、変形例４に係る入力装置Ｘ５の概略構成を示す平面図である。図１９は、図１８中に示したＶＩＩ−ＶＩＩ線断面図である。図２０は、図１８中に示した１点鎖線で囲んだ領域Ａ５を拡大した平面図である。なお、図１８〜２０において、図１、図４、および図５と同様の機能を有する構成については、同じ参照符号を付記し、その詳細な説明は省略する。
【００８３】
図１８〜２０に示すように、入力装置Ｘ５は、入力装置Ｘ１における第１検出電極パターン５および第１遮光層３の代わりに、第１検出電極パターン５１および第１遮光層５２を備えている。
【００８４】
第１検出電極パターン５１は、第１検出電極パターン５と同様の機能を有する。第１検出電極パターン５１は、入力領域Ｅ１に対応する基体２の第２主面２Ｂ上に、Ｙ方向に並んで複数設けられている。第１検出電極パターン５１は、複数の第１検出電極５１ａおよび複数の第１接続配線５１ｂを有する。
【００８５】
第１検出電極５１ａは、平面視してＸ方向に並んで複数設けられている。変形例１では、第１検出電極５１ａは、平面視して略菱形状である。第１接続配線５１ｂは、第１検出電極５１ａ同士を電気的に接続する役割を有する。第１接続配線５１ｂは、第１検出電極パターン５１のうち、互いに隣り合う第１検出電極５１ａの間に設けられている。
【００８６】
第１検出電極パターン５１に含まれる複数の第１検出電極５１ａのうち、一端側（図１８にて紙面左側）に位置する第１検出電極５１ａは、第１遮光層５２上に位置する一部５１ｃを有する。具体的には、一端側に位置する第１検出電極５１ａは、入力領域Ｅ１から非入力領域Ｅ２に亘って設けられており、第１保護層４上に位置している。すなわち、第１検出電極５１ａの一部５１ｃは、平面視して第１遮光層５２と重なっている。第１検出電極５１ａの一部５１ｃには、第１開口部５１ｄが設けられている。
【００８７】
第１遮光層５２は、第１遮光層３と同様の機能を有する。第１遮光層５２は、非入力領域Ｅ２に対応する基体２の第２主面２Ｂ上に設けられている。具体的には、第１遮光層５２は、平面視して入力領域Ｅ１を取り囲んで位置している。第１遮光層５２のうち第１検出電極５１ａの一部５１ｃに対応する部位には、第２開口部５２ａが設けられている。具体的には、第２開口部５２ａは、平面視して第１検出電極５１ａの一部５１ｃと重なる第１遮光層２２に設けられている。
【００８８】
ここで、入力装置Ｘ５では、第１開口部５１ｄと第２開口部５２ａとは、平面視して重ならない。このため、第１検出電極５１ａの一部５１ｃと第１遮光層５２とが重なる領域を小さくすることができる、そのため、第１検出電極５１ａの一部５１ｃにインピーダンスが生じる可能性をより低減することができる。また、第１開口部５１ｄの開口面積を相対的に小さくすることができるため、第１検出電極５１ａの一部５１ｃと検出用配線８との接続面積が相対的に小さくなってしまう可能性を低減することができる。また、第２開口部５２ａの開口面積を相対的に小さくすることができるため、入力装置Ｘ１に代えて入力装置Ｘ５を表示装置Ｙ１に組み込んだ場合に、第２開口部５２ａを介して表示装置Ｙ１の内部が視認されてしまう可能性を低減することができる。
【００８９】
なお、第１開口部５１ｄおよび第２開口部５２ａの配置位置、平面視形状、および個数
については、本発明の趣旨を逸脱しない範囲において適宜変更することができる。
【００９０】
［変形例５］
図２１は、変形例５に係る入力装置Ｘ６の概略構成を示す平面図である。図２２は、図２１中に示したＶＩＩＩ−ＶＩＩＩ線断面図である。図２０は、図１８中に示した１点鎖線で囲んだ領域Ａ５を拡大した平面図である。なお、図１８〜２０において、図１、図４、および図５と同様の機能を有する構成については、同じ参照符号を付記し、その詳細な説明は省略する。
【００９１】
図１８〜２０に示すように、入力装置Ｘ６は、入力装置Ｘ１が備える第１遮光層３、第１検出電極パターン５、および第２検出電極パターン６の代わりに、第１遮光層６１、第１検出電極６２、および第２検出電極６３を備えている。
【００９２】
第１遮光層６１は、第１遮光層３と同様の機能を有する。第１遮光層６１は、非入力領域Ｅ２に対応する基体２の第２主面２Ｂ上に設けられている。具体的には、第１遮光層６１は、平面視して入力領域Ｅ１を取り囲んで位置している。また、第２遮光層６１には、開口部６１ａが設けられている。
【００９３】
第１検出電極パターン６２は、第１検出電極パターン５と同様の機能を有する。第１検出電極パターン６２は、入力領域Ｅ１に対応する基体２の第２主面２Ｂ上に、Ｙ方向に並んで複数設けられている。第１検出電極パターン６２は、複数の第１検出電極６２ａおよび複数の第１接続配線６２ｂを有する。
【００９４】
第１検出電極６２ａは、平面視してＸ方向に並んで複数設けられている。変形例５では、第１検出電極６２ａは、平面視して略菱形状であるが、第１検出電極パターン６２の一端側および他端側に位置する第１検出電極６２ａは、平面視して略三角形状である。また、第１接続配線６２ｂは、第１検出電極６２ａ同士を電気的に接続する役割を有する。第１接続配線６２ｂは、第１検出電極パターン６２のうち、互いに隣り合う第１検出電極６２ａの間に設けられている。
【００９５】
複数の第１検出電極６２ａのうち基体２の端面２Ｃに近い側に位置する第１検出電極６２ａは、第１遮光層６１上に位置する一部６２ｃを有する。具体的には、基体２の端面２Ｃに近い側に位置する第１検出電極６２ａは、入力領域Ｅ１から非入力領域Ｅ２に亘って設けられており、少なくとも一部６２ｃが第１保護層４上に位置している。すなわち、第１検出電極６２ａの一部６２ｃは、平面視して第１遮光層６１と重なっている。
【００９６】
第２検出電極パターン６３は、第２検出電極パターン６と同様の機能を有する。第２検出電極パターン６３は、入力領域Ｅ１に対応する基体２の第２主面２Ｂ上に、Ｘ方向に並んで複数設けられている。第２検出電極パターン６３は、複数の第２検出電極６３ａおよび複数の第２接続配線６３ｂを有する。
【００９７】
第２検出電極６３ａは、平面視してＹ方向に並んで複数設けられている。変形例５では、第２検出電極６３ａは、平面視して略菱形状であるが、第２検出電極パターン６３の一端側および他端側に位置する第２検出電極６３ａは、平面視して略三角形状である。また、第２接続配線６３ｂは、第２検出電極６３ａ同士を電気的に接続する役割を有する。第２接続配線６３ｂは、第２検出電極パターン６３のうち、互いに隣り合う第２検出電極６３ａの間において、第１接続配線６２ｂと電気的に絶縁するように、絶縁体７を跨いで当該絶縁体７上に設けられている。
【００９８】
複数の第２検出電極６３ａのうち基体２の端面２Ｃに近い側に位置する第２検出電極６
３ａは、第１遮光層６１上に位置する一部６３ｃを有する。具体的には、基体２の端面２Ｃに近い側に位置する第２検出電極６３ａは、入力領域Ｅ１から非入力領域Ｅ２に亘って設けられており、少なくとも一部６３ｃが第１保護層４上に位置している。すなわち、第２検出電極６３ａの一部６３ｃは、平面視して第１遮光層６１と重なっている。また、一部６３ｃを有する第２検出電極６３ａは、平面視して一部６２ａを有する第１検出電極６２ａと互いに隣り合って位置している。
【００９９】
ここで、開口部６１ａは、平面視して第１検出電極６２ａの一部６２ｃと第２検出電極６３ａの一部６３ｃとの間に設けられている。このため、第１検出電極６２ａの一部６２ｃと第２検出電極６３ａの一部６３ｃとの間において、第１遮光層６１を介してインピーダンスが生じる可能性を低減することができる。そのため、第１遮光層６１の影響によって、入力装置Ｘ６の検出精度が低下してしまう可能性を低減することができる。
【０１００】
なお、変形例５では、図２３に示すように、開口部６１ｃは、平面視して第２検出電極６３ａの一部６３ｃを取り囲むように位置している。このため、第１検出電極６２ａの一部６２ｃと第２検出電極６３ａの一部６３ｃとの間において、第１遮光層６１を介してインピーダンスが生じる可能性をより低減することができる。
【０１０１】
［変形例６］
なお、本明細書は、上記の実施形態および変形例１〜５について個別具体的に説明したが、これに限らず、上記の実施形態および変形例１〜５に個別に記載された事項を適宜組み合わせた例についても記載されているものである。すなわち、本発明に係る入力装置は、入力装置Ｘ１〜Ｘ６に限定されるものではなく、上記の実施形態および変形例１〜５に個別に記載された事項を適宜組み合わせた入力装置も含む。
【０１０２】
また、本実施形態では、入力装置Ｘ１を備えた表示装置Ｙ１について説明したが、これに限らず、入力装置Ｘ１に代えて、入力装置Ｘ２〜Ｘ６を採用してもよい。また、本実施形態では、入力装置Ｘ１を備えた携帯端末Ｚ１について説明したが、これに限らず、入力装置Ｘ１に代えて、入力装置Ｘ２〜Ｘ６を採用してもよい。
【符号の説明】
【０１０３】
Ｘ１〜Ｘ６  入力装置
Ｙ１  表示装置
Ｚ１  携帯端末（電子機器）
２  基体
２Ｂ  第２主面
５ａ，２１ａ，５１ａ，６２ａ  第１検出電極（検出電極）
５ｂ，２１ｂ，５１ｂ，６２ｂ  第１接続配線（接続配線）
５ｃ，２１ｃ，５１ｃ，６２ｃ  第１検出電極の一部
５ｄ  第１検出電極の開口部
５１ｄ  第１検出電極の第１開口部
６３ａ  第２検出電極
６３ｃ  第２検出電極の一部
３，２２，４１，５２，６１  第１遮光層
２２ａ，４１ａ，６１ａ  第２検出電極の開口部
５２ａ  第２検出電極の第２開口部
８  検出用配線
９  第２保護層（保護層）
３１  第２遮光層
１００  第１筺体（筐体）
２００  表示パネル
【図２】
2014174738.tif 000003
【図３】
2014174738.tif 000004
【図７】
2014174738.tif 000005
【図１】
2014174738.tif 000006
【図４】
2014174738.tif 000007
【図５】
2014174738.tif 000008
【図６】
2014174738.tif 000009
【図８】
2014174738.tif 000010
【図９】
2014174738.tif 000011
【図１０】
2014174738.tif 000012
【図１１】
2014174738.tif 000013
【図１２】
2014174738.tif 000014
【図１３】
2014174738.tif 000015
【図１４】
2014174738.tif 000016
【図１５】
2014174738.tif 000017
【図１６】
2014174738.tif 000018
【図１７】
2014174738.tif 000019
【図１８】
2014174738.tif 000020
【図１９】
2014174738.tif 000021
【図２０】
2014174738.tif 000022
【図２１】
2014174738.tif 000023
【図２２】
2014174738.tif 000024
【図２３】
2014174738.tif 000025